(57)【要約】【課題】半永久的に繰り返し日を表示することが可能で、かつ消費電力がほとんどないカレンダーの提供が求められていた。【解決手段】カレンダー日付欄に各月に対応した日付表示電極を設けていることを特徴とする電気泳動表示カレンダー、例えば一方もしくは双方が透明な一組の対向に配置された基板間にマイクロカプセルを含有した電気泳動表示層からなる電気泳動表示部と、前記電気泳動表示部駆動用の電源供給機能、暦情報を保持するための暦保持機能と、月の変更時にその月に該当する日付表示電極へ電圧印加を切り替わる機能を持つ表示制御機能を有することを特徴とする請求項１記載の電気泳動表示カレンダーを提供する。【選択図】図１
2009230024.tif 000002
【特許請求の範囲】
【請求項１】
カレンダー日付欄に各月に対応した日付表示電極を設けていることを特徴とする電気泳動表示カレンダー。
【請求項２】
一方もしくは双方が透明な一組の対向に配置された基板間にマイクロカプセルを含有した電気泳動表示層からなる電気泳動表示部と、前記電気泳動表示部駆動用の電源供給機能、暦情報を保持するための暦保持機能と、月の変更時にその月に該当する日付表示電極へ電圧印加を切り替わる機能を持つ表示制御機能を有することを特徴とする請求項１記載の電気泳動表示カレンダー。
【請求項３】
日付表示部に対し、１日から２８日までは同一月として表示すべき日付表示電極同士が電源供給部からの同一の導通線と接続するように配置され、また２９日から３１日は各々が導通線と接続し、他の導通線と接触及び交差しないような配列構造を持つことを特徴とする請求項１または２記載の電気泳動表示カレンダー。
【発明の詳細な説明】
【技術分野】
【０００１】
本発明は、書き換えが簡単で半永久的に使用でき、電圧の印加によりマイクロカプセル中の荷電粒子が移動することを利用した電気泳動表示部を有した電気泳動表示カレンダーに関するものである。
【背景技術】
【０００２】
従来から多種多様なカレンダーが使用されているが、その多くは紙を用いたカレンダーが多数を占めている。このような従来のカレンダーは月日が変わる度に紙を廃棄するため、近年の環境問題への関心が非常に高まっている中で紙を廃棄することがないようなカレンダーが要求されている。
【０００３】
カレンダーを廃棄する際、紙やプラスチック、金属製綴じ部材からなる場合、紙、プラスチック、金属に分離して廃棄する必要があり、これらを分離するのは容易ではない。また、塩化ビニル等の合成樹脂が使用されており、焼却処分の際にはダイオキシン等の有害物質が発生する懸念があり、人体への影響や環境汚染等の問題が生じる可能性がある。
【０００４】
多くの種類のカレンダーが使用されている中で、例えば特許文献１のような入れ替え式カレンダーが提案されているが、月が変更する度に日にちの札を入れ替えなければならず、大変不便であるという問題があった。
【０００５】
また、電子式カレンダーでは、例えば特許文献２のような液晶表示素子を利用したカレンダーが提案されているが、この場合メモリー性がないため、表示には常に電力供給しておかなければならず、またＴＦＴ基板としてガラスを用いているため、重量や安全面、コスト面において現実的ではなかった。
【０００６】
特許文献は以下の通り。
【特許文献１】実用新案登録第３１３５６７９号
【特許文献２】特開平５−１８１８０６号
【特許文献３】特開平５−２６４７５８号
【発明の開示】
【発明が解決しようとする課題】
【０００７】
本発明は上記の問題を解決するためになされたものであって、月日が変わる度に紙等の廃棄物が出ず、またガラス板からなるＴＦＴ基板を用いることで容易にカレンダー表示が可能であるが、本発明はＴＦＴ基板を用いることがないため、薄くてかつ軽量である。また、メモリー性が良く消費電力が小さく、さらに７セグメントを用いると３桁のドライバ数が必要であるが、本発明の背面板の導通線配列デザインを用いることでドライバ数も３０本に抑えることが可能であり、かつ半永久的に繰り返し日を表示することが可能な電気詠動表示カレンダーを提供することを目的とする。
【課題を解決するための手段】
【０００８】
本発明において上述の目的を達成するために、請求項１においては、カレンダー日付欄に各月に対応した日付表示電極を設けていることを特徴とする電気泳動表示カレンダーを提供するものであり、これにより任意の月に対応可能な構造で半永久的に使用できることを特徴とする電気詠動表示カレンダーを提供するものである。
【０００９】
また、請求項２においては、一方もしくは双方が透明な一組の対向に配置された基板間
にマイクロカプセルを含有した電気泳動表示層からなる電気泳動表示部と、前記電気泳動表示部駆動用の電源供給機能、暦情報を保持するための暦保持機能と、月の変更時にその月に該当する日付表示電極へ電圧印加を切り替わる機能を持つ表示制御機能を有することを特徴とする請求項１記載の電気泳動表示カレンダーを提供するものであり、これにより正確な暦情報に基づき月の変更時に表示日への電圧印加が切り替わる機能を持つことを特徴とする電気泳動表示カレンダーを提供するものである。
【００１０】
また、請求項３においては、日付表示部に対し、１日から２８日までは同一月として表示すべき日付表示電極同士が電源供給部からの同一の導通線と接続するように配置され、また２９日から３１日は各々が導通線と接続し、他の導通線と接触及び交差しないような配列構造を持つことを特徴とする請求項１または２記載の電気泳動表示カレンダーを提供するものであり、これにより任意の月に適した数字をカレンダー日付欄に容易に表示できることを特徴とする電気泳動表示カレンダーを提供するものである。
【発明の効果】
【００１１】
本発明によると、カレンダー日付欄に各月に対応した日付表示電極を設けていることを特徴とする電気泳動表示カレンダーを用いることで月日が変わる度にカレンダー表示部の紙を廃棄、札を入れ替える必要がなく、半永久的に使用可能な電気泳動表示部を利用したカレンダーを提供する。
【発明を実施するための最良の形態】
【００１２】
以下、本発明を実施するための最良の形態について、図面を参照して具体的に説明する。
【００１３】
電気泳動を利用した表示装置のひとつにマイクロカプセルを用いた電気泳動表示装置がある。分散媒が満たされたマイクロカプセル中に正、負に帯電した白色粒子と黒色粒子を入れ、外部電圧の印加によってそれぞれの粒子を表示面に引き上げて画像を形成するものである。マイクロカプセルのサイズは数十μｍ〜数百μｍと小さいので、このマイクロカプセルを透明なバインダー材に分散させると、インクのようにコーティングすることができる。
【００１４】
透明電極を形成した透明樹脂膜にこのインクをコーティングし、ＴＦＴに代表されるアクティブマトリクス駆動用の電極回路を形成した基板に貼り合わせると、アクティブマトリクスディスプレイを得ることができる。通常、透明電極を形成した透明樹脂フィルムに電子インクをコーティングした部品を「前面板」と呼び、アクティブマトリクス駆動用の電極回路を形成した基板を「背面板」と呼んでいる。背面板にはアクティブマトリクスの他、導電性を有する様々な基板、フィルムを使用することができる。
【００１５】
本発明の電気詠動表示カレンダー１はガラス等からなるＴＦＴ基板を用いることなく、また、各領域毎に外部から電圧を印加するセグメント表示方式を採用し、任意の月を表示できるカレンダーを提供する。
【００１６】
図１は本発明の電気詠動表示カレンダー１の模式図である。
【００１７】
図１に示すように、本発明の電気詠動表示カレンダー１には曜日を表示する欄とその下段にはカレンダー領域が設けられ、そのカレンダー領域の各カレンダー日付欄の中にそれぞれ日を表示する１から３１の暦の数字が配列されており、それに対応するカレンダー日付欄２にある最大７つの数字が日付表示電極として規則性のもと配列されている。
【００１８】
図２は各カレンダー日付欄２に配置されている数字の中で、例えば数字１を表示する場
合の模式図である。
【００１９】
図３は本発明の電気詠動表示カレンダー１の拡大断面図である。
【００２０】
図３に示すように、ポリエチレンテレフタレートからなる透明樹脂フィルム３の透明電極層４を有した面に、マイクロカプセル１４、バインダー材１５を含んだ電子インクを塗布することでマイクロカプセル表示層５を形成し、次いで、マイクロカプセル表示層５に導電性接着層６を形成して、前面板７を得る。
【００２１】
また、透明樹脂フィルム８の１層目には数字及び曜日の文字部分１５と電源供給部９とをつなぐ導通線１０を、例えばスクリーン印刷によりカーボンや銀ペーストを用いてパターンを印刷し、導電性層Ａ１１を形成する。２層目は同様の方法により非導電性層１３を、非導通性材料として例えば高分子樹脂でパターンを印刷し形成する。さらに３層目も同様の方法により、表示部となる数字及び曜日の文字部分１５を導電性材料を用いて導電性層Ｃのパターンを形成し、また文字ライン部分１６になる非導通部分を形成する。その際、２層目の導電性層Ｂ１１は２層目で形成した隙間を埋めるような形になり、３層目でパターン印刷した文字部分１５と周辺部分１７は１層目の導通線１０と接触するように形成する。
【００２２】
前記前面板７の導電性接着層６と前記スクリーン印刷法で形成した３層目のパターン面を接着させることで、電気泳動表示層を有した本発明の電気詠動表示カレンダー１を得る。
【００２３】
図２に示すように、表示する数字１と電力供給部９から電力を受けるための導通線１０がある一箇所の接点１８で導通されることで、文字部分１５の日付表示電極の電圧印加が可能となる。
【００２４】
図４は本発明の実施形態に係るマイクロカプセル型電気泳動表示シートの電気泳動表示層に含まれるマイクロカプセルの模式図である。
【００２５】
電気泳動表示層５に含まれるマイクロカプセル１９は、図５に示すように、メタクリル酸樹脂、ユリア樹脂、アラビアゴム等をカプセル殻２１とし、その内部に酸化チタンからなる白色粒子２２とカーボンブラックからなる黒色粒子２３が、シリコーンオイル等の粘性の高い分散媒２４に分散された状態で封入されたものである。白色粒子２２である酸化チタンは正電荷を帯びており、一方、黒色粒子２３であるカーボンブラックは負電荷を帯びている。
【００２６】
図３のように形成した電気泳動表示部は、次のようにして動作する。
【００２７】
図３の断面図に示すように、透明樹脂フィルム３の透明電極層４とスクリーン印刷によりパターンを形成した透明樹脂フィルム８側からの電圧の印加により白黒色が反転する。透明樹脂フィルム３から負電圧を透明樹脂フィルム８側から正電圧を印加した場合、表示する数字部分である日付表示電極は電源供給機能に対応する電力供給部９と導通線１０で導通が保たれているため、正に帯電した白色粒子２２が透明樹脂膜フィルム３側に引かれ、負に帯電した黒色粒子２３が透明樹脂フィルム８側に引かれるので、透明樹脂フィルム３側から観察すると数字部分２０が白く見える。また、文字ライン部分１６は非導通部分が存在するため、電圧の印加による白黒色の反転はなされない。さらに、文字部分をなす日付表示電極１５と文字ライン１６以外の周辺部分１７全体にも１箇所に電力供給部９と導通した部分が存在する。このため、透明樹脂フィルム３側から正電圧を、透明樹脂フィルム８側から負電圧を印加することで、周辺部分１７全体は、正に帯電した白色粒子２２が透明樹脂フィルム８側に引かれ、負に帯電した黒色粒子２３が透明樹脂フィルム３側に引かれるので、透明樹脂フィルム３側から観察すると周辺部分１７が黒く観測される。このような現象により、数字部分２０は白色、数字以外の周辺部分２２は黒色となり、図２のように数字１が表示される。他日付表示電極１５のある文字部分、文字ライン部分１６も同様の構造となっている。
【００２８】
電気詠動表示層５は、図３の断面図に示すように、マイクロカプセル１９を多数含んでおり、電極層の電界の向きを制御することで、上述の原理に基づきマイクロカプセル１９内の粒子を移動させることで、白色及び黒色として表示させることができる。
【００２９】
図５に本発明の電気詠動表示カレンダー１のカレンダー日付欄２に並べられた日付表示電極を示す模式図である。
【００３０】
図５に示すように、互いに隣接するカレンダー日付欄２に対し、電力供給部９からパターン印刷された導通線１０とそれぞれの日付表示電極が接点１８でつながれている。本発明の電気詠動表示カレンダー１は次のようにして配置されている。本発明の電気詠動表示カレンダー１の横列方向では、横列に隣接するカレンダー日付欄２の同一位置にある日付表示電極同士が、同一の導通線１０とつながっており、他の位置にパターン印刷された他の日付表示電極と他の導通線１０とは接触、交差しないように配置されている。図５において、例えば電気詠動表示カレンダーの同一場所にあるカレンダー日付欄Ａ２３にある数字１の日付表示電極とカレンダー日付欄Ｂ２４にある数字２の日付表示電極、カレンダー日付欄Ｃ２５にある数字３の日付表示電極が同一の導通線でつながっており、またカレンダー日付欄Ｄ２８にある数字５の日付表示電極とカレンダー日付欄Ｅ２９にある数字６の日付表示電極、カレンダー日付欄Ｆ３０にある数字７の日付表示電極が同一の導通線でつながるといったように同一場所ある日付表示電極のみが互いに同一の導通線１０で接触している。他の日付表示電極も同様に、同一位置にある日付表示電極同士が導通線１０を介してつながるように配置されている。
【００３１】
縦列方向においては、横列方向に同一場所にある日付表示電極同士がつながった導通線１０同士を、縦列方向においても導通線１０を介してつながって配置されている。例えば、カレンダー日付欄Ａ２５にある数字１の日付表示電極をつないだ導通線１０はカレンダー日付欄Ｄにある８の日付表示電極をつないだ導通線１０とつながっており、またカレンダー日付欄Ｂ２６にある数字１の日付表示電極をつないだ導通線１０はカレンダー日付欄Ｄにある数字７の日付表示電極をつないだ導通線１０とつながるといったように、縦列方向においても導通線１０を介してつながっている。他の日付表示電極も同様に、横列方向の同一位置にある日付表示電極同士をつなげた導通線１０は、縦列方向においても同一位置にある日付表示電極を導通線１０を介してつながっている。
【００３２】
これいにより日付表示部に対し、１日から２８日までは同一月として表示すべき日付表示電極同士が電源供給部からの同一の導通線と接続するように配置され、また２９日から３１日は各々が導通線と接続し、他の導通線と接触及び交差しないような配列構造を持つことが可能になっている。
【００３３】
図６に本発明の電気詠動表示カレンダー１に対して２８日以降の隣接するカレンダー日付欄２に並べられた日付表示電極を示す模式図である。
【００３４】
任意の月を表示するカレンダーにおいて、月によって２８日、２９日、３０日及び３１日の場合がある。このため、数字２８の日付表示電極までは上述のようにカレンダー日付欄２の同一場所にある日付表示電極を導通線１０でつなげ、さらに、数字２９の日付表示電極、数字３０の日付表示電極及び数字３１の日付表示電極はそれぞれ別々に電力供給部
９から導通線１０で各々の日付表示電極をつなげて配置する。例えば、カレンダー日付欄Ｘ３１、カレンダー日付欄Ｙ３２及びカレンダー日付欄Ｚ３３にある数字２９の日付表示電極、数字３０の日付表示電極及び数字３１の日付表示電極はそれぞれ導通線１０でつなげて、他の数字は２９の日付表示電極まで同一の導通線１０で横列方向につなげて配置する。このように導通線を配置していくと、カレンダー日付欄２は１段目から５段目までの数字２８までの日付表示電極の導通線は７本、５段目及び６段目の数字２９の日付表示電極以降は各々１本ずつつなげることで、カレンダー日付欄２では合計２８本の導通線１０が横列方向に配列されている。このように導通線１０を配置することで、数字２８以降の日付表示電極の各々に電圧の印加をコントロールすることで任意の月に対応できる数字を表示することが可能となる。
【００３５】
上部に表示する曜日も日付表示電極の場合と同様に、スクリーン印刷により１層目、２層目及び３層目にパターンが形成されているので、導通線１０と導通を持たせることで曜日を表示することができる。
【００３６】
上記で示した導通線１０は縦列及び横列方向すべてに対して交差、接触しないような形で形成されている。
【００３７】
上述のように導通線１０を配列することで、カレンダー日付欄２の日を表示するのに２８本、曜日を表示するのに１本、さらに周辺部分１７を表示するのに１本、合計３０本の導通線１０だけで任意の月に対応した日を表示することが可能になる。
【００３８】
図７は本発明の一実施形態に係る表示駆動方法を説明するブロック図である。
【００３９】
本発明の電気詠動表示カレンダー１には、電気泳動表示部３４、電気泳動表示部３４を駆動するための電源供給機能に相当する電力供給部９、表示制御機能を発揮するプログラムを実行するためのＭＰＵ３５、暦保持機能を有する正確な日時情報を保持するためのチップとしてＲＴＣ３６、ドライバＩＣ３７が配置されている。
【００４０】
ＲＴＣ３６の動作、書き換えの際に必要な電力供給部９は、例えばボタン電池、乾電池、二次電池、ＡＣアダプターを用いることができる。正確にＲＴＣ３６を作動させることで、月が変更する度に、ドライバＩＣ３７を介し日付表示電極につながっている導通線１０への電圧印加を切り替えることができる。
【００４１】
上述のように透明樹脂フィルム３側及び透明樹脂フィルム８側から電圧が印加され白色及び黒色が表示されることになり、電極に正または負電圧を選択的に印加することが可能となり、選択的に白黒色を表現することができる。
【００４２】
以上のように文字部分１５を構成する日付表示電極と導通線１０を形成することで、本発明の電気詠動表示カレンダー１は電圧の印加を選択的に行うことにより、簡単にどの月にも対応可能な構造を持つ半永久的に使用できるカレンダーを得ることが可能である。
【００４３】
本発明の電気泳動表示層において、各粒子は粘性の高い分散媒に分散されているため、一度電界を印加した後は、電源が切断されても粒子の位置は変化しない。このように、表示画像が消えないメモリー性を有するので、書き換え時のみに電界を印加すればよく、通常の表示装置と比較して消費電力の低減が可能となる。
【００４４】
本発明の電気泳動表示部において、上述のように表示の切替時にのみ電力を消費する低消費電力型表示であるため、電力供給部９には小型の電池を用いることが可能であり、また構造材としてガラス基板ではなく樹脂フィルムを用いることで、軽さ及び薄さを持たせ
ることができ、省スペース化を実現することができる。
【実施例】
【００４５】
塗工液を例えば透明電極層としてＩＴＯコーティングされたポリエチレンテレフタレートやポリイミド樹脂、ポリエチレンナフタレート、ポリカーボネート、ポリプロピレン、ポリ塩化ビニリデン等を用いて、所定のコーティング法により塗工を行った。
【００４６】
上記の塗工シートに導電性接着層が設けられる。導電性接着層の具体的な材質としては、シリコンゴム、アクリルゴム、ブチルゴム、フッ素ゴム、エチレンプロピレンゴム等があり、その膜厚は２５μｍ程度とし、前面板を得た。
【００４７】
ポリエチレンテレフタレートやポリイミド樹脂、ポリエチレンナフタレート、ポリカーボネート、ポリプロピレン、ポリ塩化ビニリデン等を用いて、スクリーン印刷により１層目に電力供給のための導通線を、２層目には数字のライン部分として非導通層を、さらに３層目には数字と曜日の文字をいずれもカーボンコーティングにより形成した。
【００４８】
上述の３層目と前面板の接着層部分とを貼り合わせた。
【００４９】
１．５Ｖの電源が供給され、表示させたい数字の日付表示電極及び周辺部分につながれた導通線のみに電圧を選択的に印加することで、所望の月のカレンダーを表示されたことを確認した。
【図面の簡単な説明】
【００５０】
【図１】本発明の一形態に係る電気詠動表示カレンダーの模式図である。
【図２】本発明の一形態に係る電気詠動表示カレンダーのカレンダー日付欄の日付表示電極を示す模式拡大平面図である。
【図３】本発明の一形態に係る本発明の電気泳動表示カレンダー１の拡大断面図である。
【図４】本発明の一形態に係る電気詠動表示カレンダーの電気詠動表示層に含まれるマイクロカプセルの模式図である。
【図５】本発明の一形態に係る電気詠動表示カレンダーに対して隣接するカレンダー日付欄に並べられた日付表示電極を示す模式平面図である。
【図６】本発明の一形態に係る電気詠動表示カレンダーの数字２８以降の数字の日付表示電極が設けられた隣接するカレンダー日付欄部分の電気詠動表示カレンダーを示す模式拡大平面図である。
【図７】本発明の一形態に係る電気詠動表示カレンダーの一実施形態に係る表示駆動方法を説明するブロック図である。
【符号の説明】
【００５１】
１・・・電気詠動表示カレンダー
２・・・カレンダー日付欄
３・・・透明樹脂フィルム
４・・・透明電極層
５・・・電気詠動表示層
６・・・導電性接着層
７・・・前面板
８・・・透明樹脂フィルム
９・・・電力供給部
１０・・・導通線
１１・・・導電性層Ａ
１２・・・導電性層Ｂ
１３・・・導電性層Ｃ
１４・・・非導電性層
１５・・・文字部分
１６・・・文字ライン部分
１７・・・周辺部分
１８・・・接点
１９・・・マイクロカプセル
２０・・・バインダー材
２１・・・カプセル殻
２２・・・白色粒子
２３・・・黒色粒子
２４・・・分散媒
２５・・・カレンダー日付欄Ａ
２６・・・カレンダー日付欄Ｂ
２７・・・カレンダー日付欄Ｃ
２８・・・カレンダー日付欄Ｄ
２９・・・カレンダー日付欄Ｅ
３０・・・カレンダー日付欄Ｆ
３１・・・カレンダー日付欄Ｘ
３２・・・カレンダー日付欄Ｙ
３３・・・カレンダー日付欄Ｚ
３４・・・電気泳動表示部
３５・・・ＭＰＵ（マイクロプロセッサユニット）
３６・・・ＲＴＣ（リアルタイムクロックモジュール）
３７・・・ドライバＩＣ
【図１】
2009230024.tif 000003
【図２】
2009230024.tif 000004
【図３】
2009230024.tif 000005
【図４】
2009230024.tif 000006
【図５】
2009230024.tif 000007
【図６】
2009230024.tif 000008
【図７】
2009230024.tif 000009